(57)【要約】多機能コンシューマ音楽システムは、例えばＣＤ用の１以上のディスクドライブと、ＣＤに関するテキストタイトルとトラック情報用および記録コンテンツ記憶用の不揮発性ストレージと、記録コンテンツの放送または直接伝送を受信する通信リンクとを含む。さらに、遠隔データベースと接続して遠隔データベースからテキスト情報およびカバーアートへのリンクを取得し、取得したデータ（およびリンクから取得したカバーアート）を表示する、携帯電話電話へのインタフェース、８０２．１１ｂネットワークまたはＢｌｕｅｔｏｏｔｈネットワークなどの通信デバイスが含まれる。システムが遠隔データベースと通信状態にないときに記録されたコンテンツがユーザに対して再生される場合、システムがデータベースとの接続と再接続したとき、当該コンテンツの識別情報が記憶され、要求される。【特許請求の範囲】
【請求項１】
記録物を再生し、遠隔データベースと通信して該記録物に関する情報を取得し、少なくともテキストデータを表示部に提供する機器であって、
記録信号を記録物から再生する記録信号出力装置と、
前記テキストデータを前記表示部に提供するビデオ出力部と、
前記記録信号出力装置から取得され、前記記録物の識別に使用可能な、前記記録物のテキスト記録名と指示データとを記憶するメモリと、
場合により前記遠隔データベースと通信して、前記指示データを前記遠隔データベースに送ることにより、前記テキスト記録名を取得する通信装置と、
前記記録信号出力装置と、前記ビデオ出力部と、前記メモリと、前記通信装置とに接続され、前記機器を、前記通信装置が前記遠隔データベースと通信しているか否かに拘わらず前記記録物を再生し、前記遠隔データベース部通信との通信が確立するよう繰り返し試行し、通信が確立されたときに前記指示データを用いて前記遠隔データベースにクエリーを行い、前記遠隔データベースからの前記記録物の前記テキスト記録名を前記メモリに供給するよう制御するコントローラと、
を備えることを特徴とする機器。
【請求項２】
前記通信装置は携帯電話用双方向ネットワークインタフェースである、ことを特徴とする請求の範囲第１項に記載の機器。
【請求項３】
前記通信装置は８０２．１１ａネットワークインタフェースであり、前記機器は自動車に搭載される、ことを特徴とする請求の範囲第１項に記載の機器。
【請求項４】
前記通信装置は８０２．１１ｂネットワークインタフェースであり、前記機器は自動車に搭載される、ことを特徴とする請求の範囲第１項に記載の機器。
【請求項５】
前記通信装置はＢｌｕｅｔｏｏｔｈネットワークインタフェースであり、前記機器はポータブルである、ことを特徴とする請求の範囲第１項に記載の機器。
【発明の詳細な説明】
【技術分野】
【０００１】
関連出願の相互参照
本出願は、同時係属中の米国特許出願第０９／２２７，０８６号（１９９９年１月５日出願、本明細書に参照により含まれる）の一部継続出願である。
【０００２】
発明の背景
１．発明の分野
本発明は、少なくともオーディオ信号を再生する装置に関し、より詳細には、再生しようとする記録物（recording）のタイトルを表示し、遠隔データベースとの通信によりそのタイトルを入手する機器に関する。
【０００３】
２．関連技術の説明
コンパクトディスク（ＣＤ）は１０年以上に渡って消費者に購入されており、個人のコレクションが数百枚ということも珍しくない。１００枚以上のＣＤを格納して選択的に再生できるＣＤチェンジャは、低価格化により売れ行きが増加している。しかしながら、この種のＣＤチェンジャは、１つの装置に視界に入りきらないほどのたくさんの記録物がある場合に、希望の記録物を簡単に選択できないという欠点によってその成功が阻まれている。また、一般的なＣＤチェンジャでは、ＣＤのコレクションを登録したり、今あるコレクションの内部再配列を捜し出すための便利な方法が提供されていない。
【０００４】
この問題は音楽ＣＤに限ったことではない。ＣＤフォーマットは、別のタイプの音楽記録物だけでなく、グラフィックス（ＣＤ−Ｇ）、ビデオ（ＣＤビデオ）およびコンピュータアクセス可能データとプログラム（ＣＤ−ＲＯＭ、ＣＤ−Ｒなど）に使用されている。ＭｉｎｉＤｉｓｃTMやデジタルビデオ（または汎用）ディスク（ＤＶＤ）といった他のフォーマットは消費者にいろいろな形で受け入れられているが、これらのフォーマット用の再生装置も同様な問題を抱えている。
【０００５】
前述の問題を解決しようとするツールもいくつか販売されている。ＣＤプレーヤーの中には、ディスクに関するテキスト情報を記憶できるものもあるが、使用インタフェースが非常に面倒なので、他の情報源から入手できる全情報を入れられるユーザはかなり少ない。具体的に言うと、ＣＤのタイトルおよびトラック情報のコンピュータデータベースは５年以上前から利用可能になっている。例えば、ＣＤＤＢは、パーソナルコンピュータのＣＤドライブを利用して再生されるＣＤのＣＤタイトルとトラック情報とを表示する３００種類を超えるプログラムによってインターネット経由でアクセスされるコンシューマサポート型データベースである。これらのプログラムは自動的にＣＤＤＢにアクセスし、最初の再生時にＣＤのタイトルおよびトラック情報とを入手し、次回以降にそのＣＤを再生するときのために情報を記憶する。ここ数年、１００枚以上のＣＤを収納するＣＤチェンジャと接続することによって一般の音楽またはオーディオ／ビデオシステムのローカルデータベースを提供するＥｓｃｉｅｎｔ社のＴｕｎｅＢａｓｅTMやＴｕｎｅＢａｓｉｃTMといったシステムが、いろいろな業者から売り出されている。しかしながら、これらの解決策のいずれもが、最新のＣＤタイトルとトラック情報とを入手するためにインターネットに接続することが好ましいため、コンピュータの力（および費用）を必要としている。
【０００６】
ヤンコウスキ（Ｙａｎｋｏｗｓｋｉ）の米国特許第５，７５１，６７２号には、ＣＤチェンジャと、ＣＤタイトルおよびトラック情報の遠隔データベースと通信するモデムと、を含むシステムについて２つの実施形態が開示されている。’６７２号特許の第１の実施形態は、上記のシステムのような独立したコンピュータを利用している。’６７２号特許の第２の実施形態には、再生しようとする記録物のＣＤタイトルとトラック情報を入手するために、ＣＤチェンジャ内に少なくとも内部モデムと通信ソフトとが組み込まれている。’６７２号特許の第２の実施形態の別形態では、ＣＤＤＢにアクセスするコンピュータや他のシステムに格納されるデータベースのようなＣＤのローカルデータベースを保存するための「大容量ストレージ」がＣＤチェンジャ内に組み込まれている。しかしながら、’６７２号特許に開示されている最も単純な実施形態でさえも、依然として、モデムによって遠隔データベースと通信するための全てのハードウェアとソフトウェアを必要としている。ＩＳＤＮターミナルアダプタは、’６７２号特許によって教示されているモデムの唯一の代替装置である。
【０００７】
記録物（音楽および言語（spoken words）の両方）の記憶および伝送のためのより新しい媒体が開発されたため、上述した欠点のいくつかは克服されている。例えば、衛星デジタルラジオ放送は、アーティストに関する情報を、コンテンツ、および、記録物に関する情報を提供するＩＤ３タグを有するいくつかのＭＰ３ファイルとともに提供することができる。しかしながら、当該コンテンツに関する重要な情報を含まず、そして提供された場合には信頼できないおそれのある、記録コンテンツの多数のＭＰ３ファイルと他のソースが存在する。
【０００８】
発明の概要
本発明の目的は、高い能力を備えた再生装置を提供することである。
【０００９】
本発明の別の目的は、モデムを必要とせずに遠隔データベースから入手される、記録物に関するテキスト情報を表示できる記録物再生機器を提供することである。
【００１０】
上記の目的は、記録物（recording）を再生し、遠隔データベースと通信して該記録物に関する情報を取得し、少なくともテキストデータを表示部に提供する機器であって、記録信号を記録物から再生する記録信号出力装置と、前記テキストデータを前記表示部に提供するビデオ出力部と、前記記録信号出力装置から取得され、前記記録物の識別に使用可能な、前記記録物のテキスト記録名（textual recording name）と指示データ（indicating data）とを記憶するメモリと、場合により前記遠隔データベースと通信して、前記指示データを前記遠隔データベースに送ることにより、前記テキスト記録名を取得する通信装置と、前記記録信号出力装置と、前記ビデオ出力部と、前記メモリと、前記通信装置とに接続され、前記機器を、前記通信装置が前記遠隔データベースと通信しているか否かに拘わらず前記記録物を再生し、前記遠隔データベース部通信との通信が確立するよう繰り返し試行し、通信が確立されたときに前記指示データを用いて前記遠隔データベースにクエリーを行い、前記遠隔データベースからの前記記録物の前記テキスト記録名を前記メモリに供給するよう制御するコントローラと、を備える機器によって達成される。
【００１１】
前述ならびに後から明らかになる他の目的と利点とは、一貫して同様参照符号で同様部品を示す本明細書の一部を構成している添付図面を参照しながら、以下に更に十分に記載および請求されている構造および作用の詳細説明に含まれている。
【００１２】
好適な実施形態の詳細な説明
図１に記載されているのは、本発明に係る機器のブロック図である。筐体１０は、機器の記録物トランスポート（recording transport）１２とコントローラ１４とを包囲している。コントローラ１４は、記録物トランスポート１２と、揮発性メモリ１６と不揮発性メモリ１８の両方と、に接続されている。筐体１０の表面に取付けられているのは、ディスプレイ２０と通信装置２２であり、その両方ともがコントローラ１４に接続されている。図１記載の機器の外部にあってもよい赤外線遠隔センサ２４やキーボード２６、または、機器の表面に取付けられている更に小さいキーパッドといった１つ以上のユーザインタフェース装置もコントローラ１４に接続されている。オーディオ入出力（Ｉ／Ｏ）インタフェース３２およびビデオＩ／Ｏインタフェース３４（複数可）は、当該機器をテレビ、アンプ、スピーカ等の他の機器と接続可能とする。Ｓ／ＰＤＩＦ、ＲＣＡジャック等を含め、いかなる一般的な物理インタフェースも使用可能である。
【００１３】
記録物トランスポート１２は、一般的な記録信号出力装置であればどのようなものでもよい。記録物がリムーバブル媒体に記憶されている場合、記録物トランスポート１２は、少なくとも当該記録物をマウントおよびイジェクトする能力と、当該記録物に記憶された記録信号をデバイストランスレータ３０を介してコントローラ１４に供給する能力とを有する。本発明においては、筐体１０は多数の記録物の格納に用いられ、記録物トランスポート１２は記録物をこれらの格納位置と再生エリアとの間で動かすこととなる。本発明は、コンパクトディスク、ＤＶＤ、ＭｉｎｉＤｉｓｃTM、あるいは、常設型または交換型のいずれでもよい、テープや固相メモリまたはハードディスクなどの非ディスク状リムーバブル媒体についてさえも用いることができる。デバイストランスレータ３０はデータ操作を行い、コントローラが予期するデータストリーム（複数可）を提供する。例えば、記録オーディオ信号は、制御情報、または、ＴＯＣデータなどの他のデータ信号と分離されてもよい。
【００１４】
本発明は、音楽記録物だけに限定されるものでなく、記録物に関する付属情報が遠隔データベース１３に記憶されている、言語、ビデオおよびデータの記録物と組み合わせて使用することもできる。記録信号は、ＴＯＣデータなどの制御情報を含め、記録物に記憶されるものであれば何でも良い。今日、ＣＤは一般に利用される記録物であるので、以下の説明で、コンパクトディスクまたはその略語のＣＤの語は、「記録物（recording）」と同義で用いられている場合がある。したがって、記録物トランスポート１２は、ＣＤチェンジャ機構であってもよい。
【００１５】
コントローラ１４は、Ｍｉｃｒｏｃｈｉｐ  ＰＩＣ１６Ｃ６７やＭｏｔｏｒｏｌａ  ６８０５、または一般的なチェンジャに使用されているコントローラなど、適切な制御装置であれば何でもよい。ＰＩＣ１６Ｃ６７のようなプログラマブルコントローラを使用することの利点は、コントローラ１４用の新しいプログラムをダウンロードして、以下に記載のような機器の動作を変更できることである。また、コントローラ１４の機能を行う複数の装置を使用してもよい。例えば、従来のＣＤチェンジャの動作を１つの装置で行わせ、以下に記載のディスクＩＤおよびデータベースのクエリーを、より大きいプログラマビリティを備えた第２の装置によって行わせてもよい。
【００１６】
記録物上のＴＯＣから得られる情報など、記録物トランスポート１２によって出力される記録信号から得られる情報を記憶するために揮発性メモリ１６を使用してもよい。揮発性メモリ１６に記憶されるものの例を図２に示す。例えば、中島平太郎、小川博司共著「図解コンパクトディスク読本」１９９２年、〒１０１東京都千代田区神田錦町３−１、オーム社刊の第５章に記載されているＣＤのＴＯＣは、ＣＤの最初のリードインエリアで出来る限り多く繰り返される図３に記載のフォーマットのエントリを各トラックごとに有している。揮発性メモリ１６は、一般的な半導体ランダムアクセスメモリによって提供されてもよい。
【００１７】
筐体１０内で再生または格納されたＣＤに関するテキスト情報のデータベースは、図４に記載されているように、図５中の一般的なレコードレイアウトで不揮発性メモリ１８に保持される。さらに、不揮発性メモリ１８は、コントローラ１２のプログラムおよび他の情報を記憶してもよい。不揮発性メモリ１８は、バッテリバックアップ付きの電気的消去書込可能な読出し専用メモリ（ＥＥＰＲＯＭ）または半導体ランダムアクセスメモリ、または小型ハードドライブなどの磁気ストレージ、またはいずれか他の一般的な不揮発性メモリによって提供してもよい。
【００１８】
ディスプレイ２０は、ユーザが記録物のタイトルと、望ましくは、記録物のトラックまたはセグメントも読むことができる十分な量のテキスト情報を表示できる一般的なディスプレイであればどれでもよい。例えば、筐体１０の表面に取り付けられた、２０〜８０文字を１行以上表示するに十分な区分を有する液晶ディスプレイ（ＬＣＤ）が適切であろう。しかしながら、ディスプレイ２０は、更に多くの文字と、場合によってはグラフィクスとを表示できるものであってもよいし、あるいは、スクロール式の表示で、使用する文字数をもっと少なくすることも可能である。
【００１９】
本発明によれば、通信装置２２は数多くのいろいろなタイプの装置を備えてもよい。本発明のコストを最小限に押さえるために、通信装置２２は、一般的なアナログ変復調装置（モデム）やＩＳＤＮターミナルアダプタでないことが好ましい。最も広範囲に利用できる装置は、一般的なＲＪ１１ジャックに接続されるＸｅｃｏｍＤＴＭＦ送受信機、またはミテル社（Ｍｉｔｅｌ）の同様製品などのデュアルトーン多重周波数（ＤＴＭＦ）発生器および検出器である。この実施形態により、機器を任意の電話線、例えば公衆電話交換網（ＰＳＴＮ）２８、に接続することができる。遠隔データベース１３には、ＤＴＭＦ信号通信を利用して通信できるフロントエンドプロセッサが必要になるが、これは、多数の呼び出しを扱う複数のＤＴＭＦ送受信機に接続される汎用コンピュータで提供できる。
【００２０】
通信装置２２の第２の実施形態は、米国電子工業会（Electric Industry Association）および米国電気技術者協会（Institute of Electrical and Electronics Engineers）によって定められている、例えばＥＩＡのＲＳ−２３２またはＩＥＥＥ１３９４などの規格のいずれかなどの工業規格を利用している。他の代替品として、同軸式および光学式など別の種類のジャックと、Ｅｔｈｅｒｎｅｔや工業所有権によって保護されているインタフェースなど別のインタフェース基準などがある。５〜１０年前と比較して、今日、モデムはかなり安価であるとしても、第２の実施形態での使用が推奨されるインタフェースの種類の中には、モデムのコストのほんの何分の１かのコストで実施できるものもある。
【００２１】
第２の実施形態では、遠隔データベース１３との通信は、インターネット上のＴＣＰ／ＩＰなどの任意の一般的なプロトコルを使用できる。第２の実施形態の工業規格（または工業所有権によって保護されている）インタフェースは、機器を、インターネットへの接続を有するとともに別装置からデータを受け入れる装置と接続するために利用されるが、記録物から読み取られる情報とテキスト情報のデータベースとの突合せに関するいかなる機能についても、これらの機能は機器と遠隔データベース１３において実施されることから、当該インタフェースが実施する必要はない。必要なことは機器とのデータの送受信だけなので、例えば、ケーブルや衛星を介してインターネットと接続するために利用される既存装置は、殆ど、または全く変更せずに使うことができる。同様に、コンピュータが持っていてもよいインターネットへの任意の一般的な接続手段（ダイヤルアップ、ローカルエリアネットワーク、専用線等）を介してインターネットと接続するターミナルとして機器を扱うように汎用コンピュータをプログラムすることができる。第２の実施形態に利用される外部装置およびその遠隔データベース１３への接続は、図１中のＰＳＴＮ２８の代わりをする。
【００２２】
第３の実施形態において、通信装置２２は、インターネットへの一般的な接続または遠隔データベース１３への何らか別の接続を有するローカルエリアネットワーク（ＬＡＮ）に直接に接続することもできる。例えば、遠隔データベース１３は、ローカルエリアネットワークに直接、または、一般にインターネットと言われている公衆コンピュータネットワークに対立するものとしての広域ネットワーク（ＷＡＮ）や他の私設ネットワークを介して直接接続されたコンピュータに記憶されていてもよい。ＬＡＮおよびＷＡＮ技術の例として、Ｅｔｈｅｒｎｅｔ、ＦＤＤＩ、ＡＴＭ、８０２．１１ａ／ｂ、Ｂｌｕｅｔｏｏｔｈ（ブルトゥース）、リース線、衛星接続及び電力線経由の通信（ＨｏｍｅＰｌｕｇなど）といった、無線または有線ネットワークが挙げられる。これらの例では、通信装置２２またはコントローラ１４の一方は、例えばインターネットなどの公衆コンピュータネットワークやローカルエリア／広域ネットワークでの通信に関するＴＣＰ／ＩＰスタックなどの一般的なプロトコルを実施するプログラムを含んでいる。第２の実施形態のように、図１のＰＳＴＮ２８は、公衆または私設ネットワーク（複数可）と置き換えられることとなる。
【００２３】
本発明
本発明の作用につき、図２から図５を参照しながら以下に説明する。記録物トランスポート１２が初めて記録物にアクセスするとき、一般的な方法でＴＯＣが読み出される。ＴＯＣの内容の例を図５に示す。米国特許第５，７５１，６７２号（本明細書に参照により含まれる）に記載されているように、ＴＯＣの情報は、殆どのＣＤを識別するに足るものである。しかしながら、’６７２号特許の記載に反し、実際の経験から、全部のＣＤに対して作用する「独自の指紋」を判定しようとするよりも、米国特許第６，０６１，６８０号（本明細書に参照により含まれる）に開示されているもののようなファジイマッチング技術を利用することが最良であることが分かった。コントローラ１４は、デバイストランスレータ３０を介してＴＯＣから情報を受け取り、アルゴリズムを実行し、不揮発性メモリ１８に記憶されているデータベースのディスクＩＤと比較するためのディスクＩＤを生成する。
【００２４】
現在、ＣＤＤＢからインターネット経由でＣＤおよびトラックタイトルの大型データベースを利用できる。一例としてこのデータベースを利用し、コントローラ１４は、ＣＤの最初と、２番目以降のトラックの最初と、のオフセットをフレーム単位（各ＣＤは７５フレーム／秒を有する）で計算することによってディスクＩＤを生成する。ディスクのＩＤの１番目のバイトを求めるために、前述のオフセットを秒に変換して、１番目のトラックの開始までのオフセットを、リードイン時間に当たる２秒分だけ増分する。（１番目のトラックのリードイン時間を加えた）秒単位のオフセットの各桁を合計して１番目のバイトを求める。ディスクＩＤの２番目および３番目のバイトは、最後のトラックまでのオフセット合計値と最後のトラックの演奏時間との和である、秒単位の全ランニング時間である。ディスクＩＤの最後のバイトは、ＣＤ上のトラック数である。
【００２５】
例えば、トラック時間（分：秒）が、２０：３８、３：３４、３：２０、３：５２、３：３５、３：５９、すなわち、１２３８、２１４、２００、２３２、２１５、２３９秒である６つのトラックを備えたＣＤの総トラック時間は次の通りである。
【００２６】
１２３８＋２１４＋２００＋２３２＋２１５＋２３９＝２３３８（または０９２２（１６進表記））、
１２３８  １４５２  １６５２  １８８４  ２０９９  ２３３８  （ランニング合計）
１番目のバイトを計算するには、最初のトラックのランニング時間にリードイン時間の２秒を加えて、以下のように各桁の合計を求める。
【００２７】
１２４０−＞１＋２＋４＝７（ランニング合計：９）
１４５４−＞１＋４＋５＋４＝１４（ランニング合計：２３）
１６５４−＞１＋６＋５＋４＝１６（ランニング合計：３９）
１８８６−＞１＋８＋８＋６＝２３（ランニング合計：６２）
２１０１−＞２＋１＋０＋１＝４（ランニング合計：６６、または４２（１６進表記））
したがって、ディスクＩＤは４２０９２２０６である。
【００２８】
不揮発性メモリ１８に記憶されているローカルデータベースのディスクＩＤと一致している場合、そのＣＤに関するテキスト情報がディスプレイ２０に表示される。ローカルデータベースの中に該ディスクＩＤが見つからない場合、遠隔データベース１３に対するクエリーが作成される。ＣＤＤＢはシステムのユーザからの情報を受け入れるので、ＣＤＤＢデータベースにクエリーを行うときにディスクＩＤ計算の認証を利用してもよい。好適なＣＤＤＢクエリーフォーマットは、フレーム単位のオフセットと、リードイン時間を含む合計秒数（総秒数）とを利用して、
ＣＤＤＢ  ＱＵＥＲＹ  ＜ｄｉｓｃｉｄ＞＜ｎｕｍ  ｔｒａｃｋｓ＞＜ｏｆｆｓｅｔ＿ｌ＞…＜ｏｆｆｓｅｔ＿ｎ＞  ＜ｔｏｔａｌ  ｓｅｃｓ＞である。したがって、上記の例の場合に好適なＣＤＤＢクエリーは、
ＣＤＤＢ  ＱＵＥＲＹ  ４２０９２２０６  ６  １８３  ９３０１５  １０９０９８  １２４０５８  １４１５１５  １５７６０８  ２３４０
である。
【００２９】
このクエリーは、通信装置２２によって遠隔データベース１３に送られる。第１の実施形態において通信装置２２は公衆電話交換網（ＰＳＴＮ）２８に接続され、上に述べたその電話通信構成要素は、電話ラインをオフフックの状態にし、遠隔データベース１３が保持されているコンピュータの１つ以上の記憶した電話番号をダイヤルする。その後、クエリーが遠隔データベース１３の（別には示されていない）フロントエンドプロセッサに伝送される。一般的なＤＴＭＦ信号は、０〜９、＃、およびＡ〜Ｄ（ほとんどの電話では利用できないが、定義されている）を表す１６のユニークなトーンを、２０トーン／秒の速度で伝送する。このように、遠隔データベース１３用のフロントエンドプロセッサは、通信装置２２から伝送された１６進コードからクエリーを作成する。第２および第３の実施形態では、一般的なクエリーが、前述のように、ＰＳＴＮ２８に代わるインターネットに接続される外部装置に送信されてもよい。
【００３０】
遠隔データベース１３との通信が確立されると、前述のクエリーが送信され、遠隔データベース１３から（１）一致するものが１つだけある、（２）一致するものが複数ある、（３）一致するものは見つからない、という３つの応答のうちの１つが受信される。（１）の場合、ユーザは、正しいＣＤが見つかったか確認するように促され、そうであれば、遠隔データベース１３から受け取ったテキスト情報が不揮発性メモリ１８に記憶されるともにディスプレイ２０に送られる。（２）の場合、ユーザは、どれか１つのＣＤタイトルを選択するか、どれも合っていないことを示すように促される。一つが選択されると、選択されたＣＤに関するテキスト情報が不揮発性メモリ１８に記憶されるとともに、ディスプレイ２０に送られる。（３）の場合、または、（１）か（２）で正しいタイトルが提供されない場合には、テキスト情報無しで再生するか、または、一般的な技術のいずれかを利用してタイトルを入力するというオプションがユーザに与えられてもよい。
【００３１】
好ましくは、不揮発性メモリ１８のローカルデータベースは、ＣＤチェンジャに一度格納された全てのＣＤのレコード（record）を、メモリ容量に達するまで保持する。したがって、図４に記載されたレコードレイアウトの最終フィールドは、ＣＤがＣＤチェンジャに現時点で格納されていないことを示す数値を有してもよい。したがって、ＣＤがＣＤチェンジャから取り出されて置き換えられる場合、コントローラ１４は不揮発性メモリ１８内のローカルデータベースにおいて当該ＣＤのディスクＩＤの一致を見出し、その一致したレコードのシステムロケーションをそのＣＤの新たなロケーションに更新する。
【００３２】
他の実施形態
本発明において、記録物トランスポート１２は、典型的には、少なくともコンパクトディスクを受け入れるチェンジャ機構である。それゆえ、ＴＯＣデータが利用可能であると仮定した。図６に示すように、別の実施形態において、記録物トランスポート１２’は、不揮発性メモリ１２ｂまたはハードドライブ１２ｃ、あるいは、放送または直接接続を介して記録物を受信するための通信リンクのいずれかを含んでもよい。これらの代替手段から受信した記録コンテンツの多くのフォームには、当該記録物の識別に使用可能なＴＯＣデータは含まれない。記録物がＴＯＣデータを含まない場合には、記録物の識別に使用可能な情報を取得するため、フィーチャの抽出および分析のために他の技術を用いなければならない。デバイストランスレータ３０’が出力したデータは、コントローラ１４に送られ、通信装置２２’を介して遠隔データベース１３’に転送される。
【００３３】
通信装置２２’は、図６に示される１以上のデータ通信プロトコルおよびインタフェース用のハードウェアおよびデータ処理（data processing）を提供する。通信ネットワーク２８’を介した遠隔データベース１３’への接続の他に、これらのインタフェースは、機器１０が設置されている場所に位置する他の機器への接続に用いることができる。機器１０が接続可能な装置のいくつかを、以下に示す実施例において説明する。
【００３４】
遠隔データベース１３’は、媒体の認識を行い、そしてメタデータのデータベースルックアップが行われる。フィーチャの抽出および分析に使用可能な情報の実施例としては、図６中のデバイストランスレータ３０のブロックに列記されたような、ラジオ局周波数、コンテンツ説明（content description）等が挙げられる。これらの実施例について、以下詳細に説明する。
【００３５】
記録物トランスポート１２’の代替物のいくつかは、記録されたコンテンツ、例えば、ＩＤＥ、ＳＣＳＩ、ＵＳＢ１／２およびＩＥＥＥ−１３９４バスを介して取り付けられた固定型または交換型の磁気または光磁気ストレージ装置であってもよい、ディスクドライブ（複数可）１２ａ、不揮発性メモリ１２ｂおよびハードドライブ１２ｃへの直接接続を提供する。不揮発性メモリ１２ｂの例としては、コンパクトフラッシュ（ＣＦ）カード、セキュアデータ（ＳＤ）カード、マルチメディアストレージカード（ＭＭＣ）、スマートカードおよびメモリスティックが挙げられる。さらに、デジタル入力１２ｇおよびアナログ入力１２ｈを用い、オーディオ用Ｓ／ＰＤＩＦ、ビデオおよびオーディオ用ＩＥＥＥ−１３９４ＡＶリンク、ＲＣＡコネクタ経由ステレオＬ／Ｒオーディオ、ＲＣＡコネクタ経由アナログコンポジット（ＮＴＳＣ）ビデオおよびＳ−Ｖｉｄｅｏ（Ｙ／Ｃ）アナログビデオ信号、ならびにＰＡＬテレビ標準用等価物を含む、標準化デジタルオーディオおよびビデオ相互接続インタフェースを用いて、外部のオーディオおよびビデオ装置に直接接続してもよい。
【００３６】
記録物トランスポート１２’の他の代替物は、通信リンクを提供する。衛星／無線通信１２ｄは放送を送達し、デジタルまたはアナログ衛星放送システム（例えばＤｉｒｅｃＴＶ）および衛星ラジオサービスを介した直接リンクを提供することができる。インターネットＴＣＰ／ＩＰ１２ｅおよびＬＡＮ１２ｆを、イントラネット、エクストラネットおよび公衆インターネットを含むＴＣＰ／ＩＰパケットベースネットワークを介したコンテンツの送達に用いることができる。データは、パケットネットワーク上のサーバから、ファイルダウンロードまたはストリーミングデジタル圧縮または非圧縮オーディオおよびビデオデータとして送達される。地上無線放送１２ｉは、アナログオーディオＦＭおよびＡＭ放送、ＮＴＳＣビデオ放送およびＨＤＴＶ放送を含むラジオ周波数無線放送チャンネルを用いてコンテンツを送達する。ブロードバンド１２ｊには、デジタルオーディオチャンネル、アナログＮＴＳＣビデオチャンネルおよびデジタルビデオチャンネルなどの、同軸ケーブルチャンネルを介したラジオ周波数を用いる地上ケーブル放送が含まれる。
【００３７】
種々の代替的記録物トランスポートは、異なる装置解析機能（device translation service）を必要とする。地上ラジオの供給（terrestrial radio feeds）については、周波数帯情報と関連して用いられる放送周波数情報、変調スキーム、地理的位置および日時が分析される。拡張ＭＰ３、ＭＰＥＧ１／２オーディオストリームなどのメタデータに組み込まれたコンテンツについては、メタデータが抽出され、さらにフィルタリングされる。集められたデータは適切なフォーマットがされ、コントローラ１４に転送される。アナログおよびデジタルの両方のオーディオ信号については、未処理信号データが入力として用いられ、周波数コンテンツなどの主要（key）フィーチャが抽出される。ＭＰ３コンテンツについては、ＩＤ３タグデータが抽出され、フィルタリングされる。コンテンツの詞または言語は、音声認識を用いて抽出可能である。記録ビデオの場合、画像分析技術を、例えば、色コンテンツ、対象の形状および動作分析といったシーン情報抽出に用いることができる。また、コンテンツの説明用に放送信号中に含まれるデータを集め、フィルタリングしてもよい。最終的に、公衆ネットワーク（インターネット）を介してまたは放送ストリーム中の情報としてのいずれかで提供される、時間毎に（by time）各チャンネル上にあるものに対するガイドと比較するため、現在見ようとするコンテンツプログラムメタデータを集めてフィルタリングしてもよい。すべての上記実施例において、収集データは適切なフォーマットがされ、コントローラ１４に転送される。
【００３８】
多くの異なったタイプの装置は、図６に示される１以上の記録物トランスポート１２ａ〜１２ｇおよびデバイストランスレータを用いることができる。いくつかの実施例を以下で説明する。
【００３９】
双方向ネットワークを備えるカーオーディオ
第１の実施例は、ＣＤ−ＤＡおよびＭＰ３（または他の圧縮フォーマット）の両方を再生可能なＣＤドライブ１２ａと、ＡＭ／ＦＭチューナと、衛星ラジオレシーバと、携帯電話用双方向ネットワークインタフェースと、ＧＰＳレシーバと、コントローラと、グラフィクスディスプレイと、種々のソースからのオーディオ出力を与える機構と、を含む車載用オーディオ装置である。
【００４０】
一般的なオーディオＣＤ（ＣＤ−ＤＡ）がＣＤプレーヤに挿入されると、コントローラ１４は、本発明について上記で説明したように、ＣＤからＴＯＣを取得する。ＴＣＰ／ＩＰベースの双方向携帯電話用ネットワークを用いて、コントローラ１４は、識別のためＴＯＣ情報を遠隔データベース１３または１３’に送出する。遠隔データベース１３または１３’は、ＣＤタイトル、アーティスト、トラック名およびアルバムカバーアートへのリンクを返送する。コントローラ１４は、返送された情報をデータベース１８’に記憶し、アルバムカバーアートの検索を開始する。アルバム名、トラック名およびカバーアートはグラフィクスディスプレイ２０に表示される（図１）。
【００４１】
記録されたコンテンツがＡＭまたはＦＭ伝送を介して受信される場合、コントローラ１４は現在の時刻と、現在の調整周波数と、現在の位置（ＧＰＳレシーバから取得される）と、を双方向携帯電話用ネットワークを介して遠隔データベース１３’に送出する。遠隔データベースは、ＧＰＳ座標と周波数とを相関させることにより聴取されている特定局を判別する。遠隔データベースは特定ラジオ局に関するプレイリストを含みまたはアクセスを有し、上述したように、曲名、アーティスト名、曲が得られたＣＤのタイトル（もしあれば）およびダウンロード用のアルバムカバーアートのポインタを戻す。この情報は、グラフィクスディスプレイ上に表示される。
【００４２】
現在の局に関してプレイリストが利用できない場合、コントローラはオーディオ再生のサンプルを抽出する。このサンプルは、双方向携帯電話用ネットワークを介して遠隔データベース１３’に送られる。波形一致法（waveform matching）または別の適当な技術を用い、遠隔データベース１３’は、曲の識別および曲名およびアーティスト名の返送に用いられる。この情報は、グラフィクスディスプレイ上に表示される。
【００４３】
一般に、衛星ラジオ放送には、曲名、および、曲が入っているＣＤのタイトルが含まれる。この情報は、衛星チューナ１２ｄによりコントローラ１４に利用可能とされる。コントローラ１４はこの情報を遠隔データベース１３’に送出し、関連するアルバムカバーアートへのリンクを取得する。コントローラ１４はアルバムカバーアートを携帯電話用双方向ネットワークを介して検索し、ＣＤタイトルおよび曲名とともにグラフィクスディスプレイ上にこれを表示する。
【００４４】
８０２．１１ｂネットワークを備えたカーオーディオ
第２の実施例は、ＣＤプレーヤ（ＣＤ−ＤＡおよびＭＰ３または他の圧縮フォーマット）１２ａと、圧縮媒体記憶用のハードディスクドライブ１２ｃと、グラフィクスディスプレイと、チューナ１２ｉと、ローカルエリア無線ネットワーク（以下、８０２．１１ｂネットワークインタフェースというが、いかなる等価なネットワークも用いることができる）と、コントローラ１４と、オーディオ出力を与える機構と、を備えたカーラジオである。さらに、ハードディスクドライブには、少なくとも所定時点での遠隔データベース１３’の一部を含むローカルメタデータデータベース１８’が含まれている。アルバムカバーアートは、メタデータデータベースの組み込みバージョン（embedded version）には含まれていない。
【００４５】
この場合、自動車が８０２．１１ｂネットワークの範囲外にある間にユーザがＣＤ−ＤＡディスクをＣＤドライブ１２ａに挿入すると、コントローラ１４はＣＤからＴＯＣを読み出し、これを記憶する。当該ＴＯＣを利用してローカルメタデータデータベース１８’に対するクエリーがなされる。ＣＤがデータベース１８’内で見出された場合、ＣＤタイトル、アーティストおよび曲名がグラフィクスディスプレイ上に表示される。当該ＴＯＣがローカルメタデータデータベース内に見出されない場合、ＣＤのトラック番号のみがグラフィクスディスプレイ上に表示される。
【００４６】
自動車が８０２．１１ｂネットワークの範囲内に来たとき、例えば、持ち主のガレージに駐車されている間、コントローラ１４は、８０２．１１ｂネットワークを利用して遠隔データベース１３’に対する要求をする。遠隔データベース１３’は、自動車が８０２．１１ｂネットワークの範囲外にあった間に初めて再生されたすべてのＣＤ（複数可）について、ＣＤタイトル（複数可）、トラック名（複数可）およびアルバムカバーアートへのリンク（複数可）を返送する。コントローラ１４は、８０２．１１ｂネットワーク接続を用い、カバーアートを要求する。すべての情報は、不揮発性メモリ１２ｂと物理的に同一であってもよい不揮発性メモリのデータベース１８’に記憶される。同じＣＤが次にＣＤドライブ１２ａに挿入された時、コントローラ１４はデータベース１８’にアクセスしてＣＤタイトル、曲名およびアルバムカバーアートをグラフィクスディスプレイ上に表示する。
【００４７】
ユーザが自動車中でチューナから曲を聴いているとき、ユーザは「情報を得る」とラベルされたボタンを押すことができる。これにより、コントローラ１４は現在再生している曲のオーディオサンプルを集める。自動車が８０２．１１ｂネットワークの範囲内に入ったとき、コントローラ１４はサンプルに基づいたクエリーを遠隔データベース１３’に送る。遠隔データベース１３’は、曲名を、そしてもし利用可能であれば、当該曲を含む少なくとも１つのＣＤのタイトルと、関連するアルバムカバーアートとを送り返す。この情報はグラフィクスディスプレイ上でユーザに利用可能となり、８０２．１１ｂネットワークインタフェースを介した送達に関して、ＣＤの購入または曲の購入のいずれかによる曲の入手を容易とする。８０２．１１ｂネットワークインタフェースを介して送達された場合、当該曲はハードディスクドライブ１２ｃに記憶されることとなる。
【００４８】
ＭＰ３などの圧縮オーディオフォーマットの曲を含む、ＩＳＯ９６６０データＣＤとしてフォーマットされたＣＤをユーザが挿入したとき、当該曲は、ユーザの要求に応じて、ハードドライブ１２ｃに複製可能である。ユーザが再生のためこれらの曲のうちの１曲を選択するとき、曲タイトル、ＣＤ名およびアーティストの識別にＩＤ３タグを用いることができる。自動車が８０２．１１ｂネットワークの範囲内にあるとき、遠隔データベースから種々の曲に関するアルバムカバーアートの位置を要求することができる。アルバムカバーアートは、８０２．１１ｂネットワークインタフェースを利用してダウンロードし、ハードドライブ１２ｃに記憶可能である。このデータは、曲の再生時、ＩＤ３タグ中の情報とともに表示可能である。
【００４９】
ケーブルネットワーク上のデジタルビデオセットトップボックス
第３の実施例として、デジタルケーブルネットワークインタフェース装置は、ケーブルモデムだけでなくケーブルＴＶチャンネルを提供するブロードバンドインタフェース１２ｊと、コントローラ１４と、グラフィックユーザインタフェースおよびビデオコンテンツの両方を表示可能なＴＶ出力と、ネットワークを介して受信したオーディオおよびビデオコンテンツを与える機構と、を含んでいてもよい。ユーザが特定のプログラムに調整すると、コントローラ１４は放送ネットワークを介してデータとして取得されたプログラムガイドを用い、現在再生しているプログラムを識別する。プログラムＩＤは、ケーブルモデムインタフェースを介して遠隔データベースに送られる。例えば、俳優、監督、演出家、筋書き等についての情報を含むメタデータが、遠隔データベース１３’から返送され、ユーザの命令により、テレビのディスプレイ上あるいは装置に取り付けられたディスプレイ上に表示可能である。遠隔データベース１３’から返送されたこの情報は、画面上に示された衣服、家具、自動車等の特定商品に関するメタデータをさらに含み、これらの商品の購入方法に関する情報を提供してもよい。
【００５０】
外部記憶媒体のコントローラ
第４の実施例には、コントローラ１４と、グラフィクスディスプレイ装置（ＴＶへの出力を含む）と、ホームエリアネットワークへの電力線ネットワークインタフェースと、不揮発性ストレージ１２ｂと、１以上の外部媒体ストレージ／アクセスユニットへの制御およびデータインタフェースと、が含まれる。さらに、ホームエリアネットワーク（ＬＡＮ）は、ケーブルモデム、デジタル加入者線（Digital Subscriber Line：ＤＳＬ）、ダイアルアップモデムおよび衛星を含むいくつかの手段のうちの１つを介して公衆ネットワークへのアクセスを提供するホームゲートウェイ装置を利用して公衆ネットワークに接続されている。
【００５１】
ユーザが装置に接続された外部チェンジャにＣＤを挿入するとき、ＴＯＣがＣＤから抽出され、ホームエリアネットワーク（ＬＡＮ）への電力線ネットワーク接続、および、ＬＡＮ上の装置と遠隔データベース１３’との間に存在するいかなる接続をも介して、遠隔データベース１３または１３’に送られる。遠隔データベース１３’は、ＣＤタイトル、トラック名、アーティスト名およびアルバムカバーアートの位置を返送する。コントローラ１４は、特定位置からアルバムカバーアートを要求し、これを遠隔データベース１３’から検索された他のデータとともに不揮発性ストレージを用いるデータベース１８’に記憶する。当該情報は、グラフィクスディスプレイ上でまたはこれに接続されたテレビ上でユーザに提示される。その後再生のために同じＣＤが選択された場合にはいつでも、上記情報がデータベース１８’から検索され、グラフィクスディスプレイまたはテレビ上でユーザに提示されることとなる。
【００５２】
Ｂｌｕｅｔｏｏｔｈネットワーク接続を備えたポータブルＣＤプレーヤ
第５の実施例において、ポータブルユニットは、データＣＤ（ＩＳＯ９６６０）からＣＤ−ＤＡとＭＰ３ファイルの両方を読み取り可能なＣＤドライブ１２ａと、コントローラ１４と、不揮発性メモリ１２ｂと、媒体からコンテンツを与えるための機構と、Ｂｌｕｅｔｏｏｔｈネットワークインタフェースと、グラフィクスディスプレイと、を含む。Ｂｌｕｅｔｏｏｔｈネットワークインタフェースは、ホームエリアネットワーク（ＬＡＮ）を介してインターネットに接続されていてもよい。
【００５３】
ユーザがＣＤ−ＤＡディスクをＣＤドライブ１２ａに挿入すると、コントローラ１４はＣＤからＴＯＣデータを取得する。Ｂｌｕｅｔｏｏｔｈネットワークの範囲内にある場合、コントローラ１４は遠隔データベース１３または１３’に要求を送り、ＣＤタイトル、曲名、アーティスト名およびアルバムカバーアートへのリンクを取得する。範囲内にない場合には、遠隔データベース１３’から必要なデータを要求した時点で機器がＢｌｕｅｔｏｏｔｈネットワークの範囲内に来るまで、ＴＯＣデータが記憶される。遠隔データベース１３’から取得した情報は不揮発性メモリのデータベース１８’に記憶されるので、その後同じＣＤが挿入されると、遠隔データベース１３’へのアクセスを必要とせずに当該情報を表示することが可能となる。
【００５４】
ユーザが、ＭＰ３ファイルを含むＩＳＯ９６６０フォーマットのＣＤを挿入したとき、ＭＰ３ファイルがＩＤ３タグを含む場合、コントローラ１４は、ＩＤ３タグから曲を含むＣＤの名前、曲名およびアーティスト名を検索する。この情報は、グラフィクスディスプレイ上に表示される。ＩＤ３タグ情報は、曲に適当なアルバムカバーアートの位置を含むがこれに限定されない、曲についての付帯メタデータに関する遠隔データベース１３’に対する要求をなすために用いられる。この情報は、遠隔データベース１３’から検索され、不揮発性メモリのデータベース１８’に記憶され、グラフィクスディスプレイ上に表示される。
【００５５】
以上、詳細な明細書から本発明の多くの特徴と利点とが明らかになったが、本発明の真の精神および範囲内にある本発明の前述の特徴と利点とのすべては、特許請求の範囲に包含される。また、当業者には多数の修正物や変更物が明らかになるであろうが、本発明は、図示および記載されたまさにその構造や作用に限定されるものではなく、したがって、すべて適切な修正物および等価物は本発明の範囲内であるものとされる。
【図面の簡単な説明】
【００５６】
【図１】本発明に係るシステムのブロック図である。
【図２】揮発性メモリに記憶される情報の例である。
【図３】一般的なコンパクトディスクのリードインエリアのＴＯＣ（Table Of Contents）におけるトラックのエントリである。
【図４】不揮発性メモリに記憶された情報の例である。
【図５】不揮発性メモリに記録されたディスク情報の構造である。
【図６】本実施形態の別形態のブロック図である。
【図１】
2005506646.tif 000002
【図２】
2005506646.tif 000003
【図３】
2005506646.tif 000004
【図４】
2005506646.tif 000005
【図５】
2005506646.tif 000006
【図６】
2005506646.tif 000007
【国際公開パンフレット】
2005506646.tif 000008
2005506646.tif 000009
2005506646.tif 000010
2005506646.tif 000011
2005506646.tif 000012
2005506646.tif 000013
2005506646.tif 000014
2005506646.tif 000015
2005506646.tif 000016
2005506646.tif 000017
2005506646.tif 000018
2005506646.tif 000019
2005506646.tif 000020
2005506646.tif 000021
2005506646.tif 000022
2005506646.tif 000023
2005506646.tif 000024
2005506646.tif 000025
2005506646.tif 000026
2005506646.tif 000027
2005506646.tif 000028
2005506646.tif 000029
2005506646.tif 000030
【国際調査報告】
2005506646.tif 000031
2005506646.tif 000032
2005506646.tif 000033
2005506646.tif 000034